(57)【特許請求の範囲】
【請求項１】
装置本体に対して回転軸まわりに回転することで開閉可能な開閉部材を有し、前記開閉部材は、前記開閉部材が閉じた状態で、装置本体に設けられた第１、第２、第３本体係止部にそれぞれ係止される第１、第２、第３係止部を備え、前記開閉部材の回転軸方向に関して前記第３係止部が前記第１係止部と前記第２係止部との間に配置された画像形成装置において、
前記開閉部材を閉じる際、前記第１係止部が前記第１本体係止部から受ける反力、及び前記第２係止部が前記第２本体係止部から受ける反力よりも、前記第３係止部が前記第３本体係止部から受ける反力の方が大きく、
前記開閉部材が押圧されることにより、前記第３係止部が前記第３本体係止部に係止されることなく前記第１係止部が前記第１本体係止部に係止された場合、前記開閉部材の押圧が解除されると前記第１係止部の係止が解除されることを特徴とする画像形成装置。 
【請求項２】
前記第１、第２、第３係止部は、前記開閉部材を閉じる際に対応する本体係止部とそれぞれ当接する第１面、第２面、第３面を備え、前記第３面の方が、前記第１面と前記第２面よりも、前記開閉部材を閉じる際の前記開閉部材の移動方向に対する角度が大きいことを特徴とする請求項１に記載の画像形成装置。
【請求項３】
前記第１、第２、第３本体係止部は、前記開閉部材を閉じる際に対応する係止部とそれぞれ当接する第１面、第２面、第３面を備え、前記第３面の方が、前記第１面と前記第２面よりも、前記開閉部材を閉じる際の前記開閉部材の移動方向に対する角度が大きいことを特徴とする請求項１に記載の画像形成装置。
【請求項４】
装置本体に対して回転軸まわりに回転することで開閉可能な開閉部材を有し、前記開閉部材は、前記開閉部材が閉じた状態で、装置本体に設けられた第１、第２、第３本体係止部にそれぞれ係止される第１、第２、第３係止部を備え、前記開閉部材の回転軸方向に関して前記第３係止部が前記第１係止部と前記第２係止部との間に配置された画像形成装置において、
前記第１、第２、第３係止部は、前記開閉部材を閉じる際に対応する本体係止部とそれぞれ当接する第１面、第２面、第３面を備え、前記第３面の方が、前記第１面と前記第２
面よりも、前記開閉部材を閉じる際の前記開閉部材の移動方向に対する角度が大きく、
前記開閉部材が押圧されることにより、前記第３係止部が前記第３本体係止部に係止されることなく前記第１係止部が前記第１本体係止部に係止された場合、前記開閉部材の押圧が解除されると前記第１係止部の係止が解除されることを特徴とする画像形成装置。
【請求項５】
装置本体に対して回転軸まわりに回転することで開閉可能な開閉部材を有し、前記開閉部材は、前記開閉部材が閉じた状態で、装置本体に設けられた第１、第２、第３本体係止部にそれぞれ係止される第１、第２、第３係止部を備え、前記開閉部材の回転軸方向に関して前記第３係止部が前記第１係止部と前記第２係止部との間に配置された画像形成装置において、
前記第１、第２、第３本体係止部は、前記開閉部材を閉じる際に対応する係止部とそれぞれ当接する第１面、第２面、第３面を備え、前記第３面の方が、前記第１面と前記第２面よりも、前記開閉部材を閉じる際の前記開閉部材の移動方向に対する角度が大きく、
前記開閉部材が押圧されることにより、前記第３係止部が前記第３本体係止部に係止されることなく前記第１係止部が前記第１本体係止部に係止された場合、前記開閉部材の押圧が解除されると前記第１係止部の係止が解除されることを特徴とする画像形成装置。
【発明の詳細な説明】
【技術分野】
【０００１】
本発明は、装置本体に対して開閉可能な開閉ドアを有する画像形成装置に関する。
【背景技術】
【０００２】
従来、画像形成装置の筺体には、消耗品の交換、または紙詰まりの処理等を行う為の開閉ドアが形成されている。図９に、開閉ドアを有する従来の画像形成装置の概略斜視図を示す。図９に示す従来の画像形成装置には、装置本体１の下部に複数のシート材を積載する給送トレイ２が設けられ、装置本体１の上面には画像形成済みのシート材が排出される排出トレイ３が設けられている。また、装置本体１の筺体には、開閉ドア４が形成されており、開閉ドア４は、回転軸４ａを回転中心として図中矢印方向に開閉可能に構成されている。
【０００３】
さらに、開閉ドア４の内側面の左右両端部（図９中黒丸部）には係止部５ａ、５ｂが設けられている。開閉ドア４を閉じる際に、開閉ドア４の係止部５ａ、５ｂが装置本体１に係止されることで、開閉ドア４を装置本体１に対して閉じた状態にすることができる。なお、開閉ドアに磁石を設け、磁力を利用して開閉動作を行う構成、または開閉ドアにハンドル部を設け、ハンドル部の操作と連動させて開閉動作を行う構成も知られている。
【０００４】
開閉ドア４を開く場合は、ユーザが開閉ドア４に形成された把持部４ｂを操作し、開閉ドア４の係止部５ａ、５ｂの係止状態を解除することで、開閉ドア４を開くことが出来る。図１０に、開閉ドア４が閉じて、開閉ドア４の係止部５ａ、５ｂが装置本体１の係止部６ａ、６ｂによって係止された状態の概略構成を示す。
【０００５】
しかしながら、かかる構成の画像形成装置では、開閉ドア４の両端部に設けられた係止部５ａ、５ｂのうち、例えば一方の係止部５ａのみが装置本体１の係止部６ａに係止され、もう一方の係止部５ｂは、装置本体に係止されない状態が生じる虞がある。この状態を、開閉ドア４の「片閉まり」と称する。「片閉まり」は、開閉ドア４を閉じる際に、開閉ドア４の一方の端部のみをユーザが押圧する場合に多く生じる。特に、近年は軽量化、コストダウン等を目的として、開閉ドア４が薄型化されており、このような薄型化された（剛性の低い）開閉ドア４を用いる場合は「片閉まり」が生じやすい。
【０００６】
図１１を参照して、「片閉まり」が生じるメカニズムについて説明する。図１１に示すように、ユーザが開閉ドア４の一方の端部の外側面をＦ１の力で押圧すると、その端部に形成されている係止部５ａは、装置本体１の係止部６ａに係止される。しかし、開閉ドア４の一方の端部のみが押圧されることで、開閉ドア４には、ねじれ力Ｔが生じてしまうので、もう一方の係止部５ｂがねじれ力Ｔによる反力Ｆ２を受けてしまう。
【０００７】
そして、反力Ｆ２を受けることにより、もう一方の係止部５ｂは装置本体の係止部６ｂに係止されることが出来ない。つまり、開閉ドア４の一方の係止部５ａのみが係止され、もう一方の係止部５ｂが係止されない「片閉まり」の状態になってしまう。なお、このねじれ力Ｔは、開閉ドア４の剛性が低いほど大きくなるので、薄型化された開閉ドア４を用いる場合は「片閉まり」が生じやすくなる。また、一旦「片閉まり」の状態になった開閉ドア４は、開閉ドア４の剛性が低い場合は係止された方の係止部５ａの係止状態を解除することが困難であるので、「片閉まり」の状態が維持されることになる。
【０００８】
このような「片閉まり」の状態になった場合に装置本体が画像形成動作を開始しないように、「片閉まり」の状態を検知する検知手段を備える画像形成装置が提案されている。
特許文献１には、インタロックスイッチと弾性部材を組み合わせ、「片閉まり」が生じてもインタロックスイッチが切れるようにする技術が開示されている。
【０００９】
また特許文献２には、開閉ドアの両端部と中央部のそれぞれに爪部材を計３つ設け、中央部の爪部材が装置本体に係止されない状態では、両端部の爪部材のいずれも装置本体に係止されることが不可能な構成が提案されている。さらに、開閉ドア４には把持部が設けられ、把持部の操作と係止状態の解除を連動させる構成が提案されている。
【先行技術文献】
【特許文献】
【００１０】
【特許文献１】特開２００６−５３１９３号公報
【特許文献２】特開２０００−９８６８１号公報
【発明の概要】
【発明が解決しようとする課題】
【００１１】
しかしながら上記従来の画像形成装置では以下の課題を生じる。
【００１２】
「片閉まり」の状態を検知する検知手段を画像形成装置に別途設ける場合は、製造コストの増加、装置本体の大型化につながってしまう。また、開閉ドアに設けた把持部の操作と係止解除を連動させる場合は、連動機構を設ける必要があるので開閉ドアを薄型化することが困難になる。さらに、開閉ドアが大きい場合は、当該連動機構に要する部品も大型化してしまうので、製造コストの増大を招いてしまう。
【００１３】
すなわち従来では、軽量化、コストダウン等を目的として開閉ドアを薄型化した場合であっても、簡易かつ安価な構成で「片閉まり」自体の発生を防止することが可能な画像形成装置は提案されていない。
【００１４】
そこで上記現状に鑑みて本発明は、薄型化された開閉ドアが用いられる場合であっても、簡易かつ安価な構成で「片閉まり」の発生を防止することが可能な画像形成装置を提供することを目的とする。
【課題を解決するための手段】
【００１５】
上記目的を達成するために本発明にあっては、
装置本体に対して回転軸まわりに回転することで開閉可能な開閉部材を有し、前記開閉部材は、前記開閉部材が閉じた状態で、装置本体に設けられた第１、第２、第３本体係止部にそれぞれ係止される第１、第２、第３係止部を備え、前記開閉部材の回転軸方向に関して前記第３係止部が前記第１係止部と前記第２係止部との間に配置された画像形成装置において、
前記開閉部材を閉じる際、前記第１係止部が前記第１本体係止部から受ける反力、及び前記第２係止部が前記第２本体係止部から受ける反力よりも、前記第３係止部が前記第３本体係止部から受ける反力の方が大きく、
前記開閉部材が押圧されることにより、前記第３係止部が前記第３本体係止部に係止されることなく前記第１係止部が前記第１本体係止部に係止された場合、前記開閉部材の押圧が解除されると前記第１係止部の係止が解除されることを特徴とする。
また、上記目的を達成するために本発明にあっては、
装置本体に対して回転軸まわりに回転することで開閉可能な開閉部材を有し、前記開閉部材は、前記開閉部材が閉じた状態で、装置本体に設けられた第１、第２、第３本体係止部にそれぞれ係止される第１、第２、第３係止部を備え、前記開閉部材の回転軸方向に関して前記第３係止部が前記第１係止部と前記第２係止部との間に配置された画像形成装置において、
前記第１、第２、第３係止部は、前記開閉部材を閉じる際に対応する本体係止部とそれぞれ当接する第１面、第２面、第３面を備え、前記第３面の方が、前記第１面と前記第２面よりも、前記開閉部材を閉じる際の前記開閉部材の移動方向に対する角度が大きく、
前記開閉部材が押圧されることにより、前記第３係止部が前記第３本体係止部に係止されることなく前記第１係止部が前記第１本体係止部に係止された場合、前記開閉部材の押圧が解除されると前記第１係止部の係止が解除されることを特徴とする。
また、上記目的を達成するために本発明にあっては、
装置本体に対して回転軸まわりに回転することで開閉可能な開閉部材を有し、前記開閉部材は、前記開閉部材が閉じた状態で、装置本体に設けられた第１、第２、第３本体係止
部にそれぞれ係止される第１、第２、第３係止部を備え、前記開閉部材の回転軸方向に関して前記第３係止部が前記第１係止部と前記第２係止部との間に配置された画像形成装置において、
前記第１、第２、第３本体係止部は、前記開閉部材を閉じる際に対応する係止部とそれぞれ当接する第１面、第２面、第３面を備え、前記第３面の方が、前記第１面と前記第２面よりも、前記開閉部材を閉じる際の前記開閉部材の移動方向に対する角度が大きく、
前記開閉部材が押圧されることにより、前記第３係止部が前記第３本体係止部に係止されることなく前記第１係止部が前記第１本体係止部に係止された場合、前記開閉部材の押圧が解除されると前記第１係止部の係止が解除されることを特徴とする。
【発明の効果】
【００１６】
本発明によれば、薄型化された開閉ドアが用いられる場合であっても、簡易かつ安価な
構成で「片閉まり」の発生を防止することが可能な画像形成装置を提供することができる。
【図面の簡単な説明】
【００１７】
【図１】第１の実施の形態に係る画像形成装置の概略構成図。
【図２】第１の実施の形態における開閉ドア及び装置本体の係止部の概略構成図。
【図３】第１の実施の形態における開閉ドア及び装置本体の係止部の概略構成図。
【図４】第２の実施の形態における開閉ドア及び装置本体の係止部の概略構成図。
【図５】第２の実施の形態における開閉ドア及び装置本体の係止部の概略構成図。
【図６】第３の実施の形態における開閉ドア及び装置本体の係止部の概略構成図。
【図７】第３の実施の形態における開閉ドア及び装置本体の係止部の概略構成図。
【図８】第３の実施の形態における開閉ドア及び装置本体の係止部の概略構成図。
【図９】従来例に係る画像形成装置の概略斜視図。
【図１０】従来例における開閉ドアが閉じた状態の概略構成図。
【図１１】片閉まりが生じるメカニズムを説明する図。
【発明を実施するための形態】
【００１８】
以下に図面を参照して、この発明を実施するための最良の形態を、実施の形態に基づいて例示的に詳しく説明する。ただし、この実施の形態に記載されている構成部品の寸法、材質、形状、その相対配置などは、特に特定的な記載がない限りは、この発明の範囲をそれらのみに限定する趣旨のものではない。
【００１９】
[第１の実施の形態]
図１〜図３を参照して、本発明の第１の実施の形態に係る画像形成装置について説明する。
【００２０】
（画像形成装置の概略構成）
図１に本実施の形態に係る画像形成装置の外観斜視図を示す。図１に示すように、本実施の形態に係る画像形成装置１０は、装置本体の下部にシート材を複数積載する給送トレイ２０と、装置本体の上面に画像形成済みのシート材が排出される排出トレイ３０とを備えている。
【００２１】
また、画像形成装置１０には、複数の画像形成手段（像担持体、現像ユニット、露光ユニット、定着ユニット、シート材の搬送ユニット等）が筺体内の所定の位置に収容されている。シート材に画像形成を行う際は、露光ユニットが像担持体の表面に形成した静電潜像を、現像ユニットがトナー像として現像し、それをシート材上に転写した後、定着ユニットでトナー像を定着させて排出トレイ３０に排出する。
【００２２】
一般的に通紙枚数が増えると、画像形成手段を構成する上記の各部材、ユニットの中には、メンテナンス作業が必要になるものがでてくる。このメンテナンス作業には、例えば消耗部品の交換、補給等の作業が含まれる。また、画像形成プロセスの途中でシート材のジャムが生じた場合は、画像形成プロセスを一旦中止して、ジャムを取り除く必要がある。
【００２３】
このようなメンテナンス作業、ジャムの処理等を、ユーザが容易に行えるようにするために、画像形成装置の筺体には、装置本体に対して開閉自在な開閉ドア４０が設けられている。これにより、ユーザがメンテナンス作業、ジャム処理を行う場合の作業スペースが確保されるので、ユーザビリティの向上につながる。なお、装置本体の軽量化、コストダウンを目的として、本実施の形態における開閉ドア４０は薄型化されており、よって、開閉ドア４０の剛性は低くなっている。
【００２４】
本実施の形態における開閉ドア４０は、装置本体の筺体の一部をなしており、給送トレイ２０の上方に設けられた回転軸４０ａを中心として、図１中矢印方向に開くことが出来る。また、開閉ドア４０の外側面には把持部４０ｂが設けられており、開閉ドア４０を開く際は、ユーザが把持部４０ｂを手前に引くことで開閉ドア４０を開くことができる。
【００２５】
また、開閉ドア４０の上端部近傍の内側面の左右両端部近傍には、係止部５０ａ（第１の係止部）、５０ｂ（第２の係止部）が設けられており、さらに係止部５０ａと５０ｂの間（略中央部）には、突き当て部６０が設けられている。突き当て部６０は、開閉ドア４０の把持部４０ｂと略同一の位置に形成されている。また、図１中の黒丸部は、係止部５０ａ、５０ｂ、突き当て部６０の位置を示すものである。係止部５０ａ、５０ｂは、開閉ドア４０を閉じた状態で、後に説明する装置本体側に設けられた係止部７０ａ、７０ｂに係止されるものである。
【００２６】
（開閉ドア及び装置本体の係止部の構成）
図２、３を参照して、開閉ドア４０の係止部５０ａ、５０ｂ、突き当て部６０、及び装置本体に設けられる係止部７０ａ、７０ｂ、被突き当て部材であるスライド部材８２の構成について説明する。図２は、開閉ドア４０の係止部５０ａ、５０ｂ、突き当て部６０が装置本体に係止された状態を示し、図３は、ユーザが開閉ドア４０の端部のみを押圧して、突き当て部６０がスライド部材８２に突き当たっている状態を示すものである。
【００２７】
図２、３に示すように、本実施の形態における開閉ドア４０の係止部５０ａ、５０ｂ、突き当て部６０は、開閉ドア４０の内側面から装置本体側へ向かう凸形状を有しており、係止部５０ａ、５０ｂの先端には、爪部５１ａ、５１ｂが形成されている。なお、係止部５０ａ、５０ｂ、突き当て部６０は、開閉ドア４０を閉じる際に、突き当て部６０がスライド部材８２に最初に突き当たるように構成されている。すなわち、本実施の形態では、突き当て部６０の高さが係止部５０ａ、５０ｂと比較して最も高くなるように構成されている。
【００２８】
爪部５１ａには、開閉ドア４０が閉じる方向に傾斜する先端斜面５２ａ、先端斜面５２ａとは逆方向に傾斜する後端斜面５３ａが形成されている。同様に爪部５１ｂにも、開閉ドア４０が閉じる方向に傾斜する先端斜面５２ｂ、先端斜面５２ｂとは逆方向に傾斜する後端斜面５３ｂが形成されている。なお、先端斜面５２ａ、５２ｂの傾斜角を５２θとする。
【００２９】
一方、突き当て部６０の先端側には、開閉ドア４０が閉じる方向に傾斜する先端側の斜面６２、先端側の斜面６２とは反対側に設けられ、斜面６２とは逆方向に傾斜する後端側の斜面６３が設けられている。さらに、斜面６２と斜面６３に接続する平坦部６４が形成されている。なお、斜面６２の傾斜角を６２θ、斜面６３の傾斜角を６３θとする。
【００３０】
また、装置本体には、上述した開閉ドア４０の係止部５０ａ、５０ｂを係止する係止部７０ａ、７０ｂ、さらに、突き当て部６０が突き当たるスライド部材８２が設けられている。
【００３１】
装置本体側の係止部７０ａは、付勢バネ７１ａと、付勢バネ７１ａに接続されるスライド部材７２ａを備え、付勢バネ７１ａがスライド部材７２ａを付勢し、スライド部材７２ａを開閉ドア４０の開閉方向と略直交する方向に付勢する。なお、スライド部材７２ａの先端には、上述した後端斜面５３ａに倣う斜面７３ａと、斜面７３ａと反対方向に傾斜する斜面７４ａが形成されている。
【００３２】
装置本体側の係止部７０ｂは、付勢バネ７１ｂと、付勢バネ７１ｂに接続されるスライド部材７２ｂを備え、付勢バネ７１ｂがスライド部材７２ｂを付勢し、スライド部材７２ｂを突き当て部６０の移動方向と略直交する方向に付勢する。なお、スライド部材７２ｂの先端には、上述した後端斜面５３ｂに倣う斜面７３ｂと、斜面７３ｂと反対方向に傾斜する斜面７４ｂが形成されている。
【００３３】
突き当て部６０が突き当たるスライド部材８２は、付勢バネ８１に接続され、付勢バネ８１によって、突き当て部６０の移動方向と略直交する方向に付勢される。なお、スライド部材８２の先端には、上述した後端斜面６３に倣う斜面８３と、斜面８３と反対方向に傾斜する斜面８４が形成されている。
【００３４】
かかる構成によると、開閉ドア４０を装置本体に対して閉じると、スライド部材７２ａ、７２ｂ、８２が付勢バネ７１ａ、７１ｂ、８１に付勢されることで、開閉ドア４０の係止部５０ａ、５０ｂ、突き当て部６０が図２に示す状態で係止されることになる。よって、一旦開閉ドア４０を閉じると、その係止状態が保持され続けることになる。そしてこの係止状態は、ユーザが開閉ドア４０の把持部４０ｂを操作することで解除される。
【００３５】
（片閉まりを防止する構成）
従来、特に開閉ドアが薄型化された場合は、ユーザが開閉ドアの一方の端部を押圧して開閉ドアを閉じると、開閉ドアの一方の端部のみが装置本体に係止される「片閉まり」が生じてしまうことは上記で説明した。これに対し、本実施の形態における開閉ドア４０では、ユーザが一方の端部を押圧して開閉ドア４０を閉じる場合でも、「片閉まり」を生じるおそれがない。以下、本実施の形態における「片閉まりを防止する構成」について説明する。
【００３６】
図３に、ユーザが開閉ドア４０の一方の端部を押圧して開閉ドア４０を閉じる状態を示す。本実施の形態では、ユーザが開閉ドア４０の一方の端部をＦ１の力で押圧すると、まず最初に、開閉ドア４０の突き当て部６０の先端斜面６２が待機位置にあるスライド部材８２の斜面８４に接触する。
【００３７】
スライド部材８２と突き当て部６０が接触すると、突き当て部６０の先端側の斜面６２に対して、付勢バネ８１の作用によってＦ２の力（開閉ドア４０を押し戻す方向の力）が働く。なお、突き当て部６０が受けるＦ２の力の大きさは、先端側の斜面６２の傾斜角６２θによって調節可能である。
【００３８】
そしてＦ２の力が突き当て部６０に働いている状態では、突き当て部６０は、Ｆ２の力に抗してスライド部材８２を押し込んで開閉ドア４０が閉じる方向に進むことができない。つまり、開閉ドア４０の剛性が低いので、突き当て部６０はスライド部材８２に突き当たった状態で停止し、その後はねじれ力Ｔによって、開閉ドア４０が突き当て部６０の付け根を支点に変形することになる。
【００３９】
このように本実施の形態では、ユーザが開閉ドア４０の一方の端部を押圧した場合には、開閉ドア４０の間に位置する突き当て部６０がスライド部材８２を移動させることがない。さらに、開閉ドア４０が図３のように変形し、係止部５０ａのみが係止部７０ａに係止される「片閉まり」の状態になって開閉ドア４０の押圧を中止しても、開閉ドア４０のねじれ力Ｔにより、開閉ドア４０は元の形状に戻ろうとするので、「片閉まり」が解除される。
【００４０】
つまり、「片閉まり」の状態から開閉ドア４０が元の形状に戻ろうとする際に生じるねじれ力Ｔは、係止部７０ａが係止部５０ａを係止している力よりも大きい。よって、ユー
ザの操作を必要とせず、開閉ドア４０の変形を利用して、「片閉まり」を解除することができる。
【００４１】
以上より、本実施の形態に係る画像形成装置によれば、ユーザが開閉ドア４０の一方の端部を押圧した場合であっても、開閉ドア４０が「片閉まり」の状態となることを防ぐことが可能である。なお、上記ではユーザが開閉ドア４０の係止部５０ａの方の端部を押圧した場合について説明したが、もう一方の端部（係止部５０ｂの方）を押圧する場合であっても、「片閉まり」の状態を防ぐことは可能である。
【００４２】
また、ユーザが開閉ドア４０の略中央部（把持部４０ｂ近傍）を押圧する場合は、突き当て部６０がスライド部材８２から受ける力Ｆ２に抗して、スライド部材８２を押しのけて開閉ドア４０を閉じることができる。
【００４３】
同様に、開閉ドア４０の係止部５０ａ、５０ｂもスライド部材７２ａ、７２ｂを押しのけて、スライド部材７２ａ、７２ｂに係止される。よって、ユーザが開閉ドア４０の略中央部を押圧する場合は、開閉ドア４０を装置本体に確実に閉じることができる。
【００４４】
なお、本実施の形態では、開閉ドア４０の突き当て部６０の先端側の斜面６２の傾斜角６２θが、係止部５０ａ、５０ｂの先端斜面５２ａ、５２ｂの傾斜角５２θよりも大きくなるようにした（６２θ＞５２θ）。
【００４５】
これにより、突き当て部６０に対しては、より大きな反力Ｆ２を付与することが可能になり、一方で係止部５０ａ、５０ｂに対しては、スライド部材７０ａ、７０ｂから受ける反力の大きさをＦ２より小さくすることができる。これは、係止部５０ａ、５０ｂに大きな反力が働くと、開閉ドア４０を閉じるために要するユーザの押圧力も大きくなってしまうので、それによってユーザの操作性が低下することを防ぐためである。
【００４６】
また、本実施の形態では、突き当て部６０の先端側の斜面６２の傾斜角６２θを、後端側の斜面６３の傾斜角６３θよりも大きくした。さらに、先端側の傾斜面６２と後端側の斜面６３を平坦部６４で接続した。この構成によると、開閉ドア４０を開く際に、突き当て部６０がスライド部材８２から受ける力を低減させることができるので、開閉ドア４０を開くために要するユーザの力を低減させることが可能になる。
【００４７】
また、開閉ドア４０を閉じた状態では、スライド部材８２が突き当て部６０の後端側の斜面６３を係止するので（図２参照）、開閉ドア４０に反りがある場合でも、開閉ドア４０を閉じた状態ではそりを矯正することができる。
【００４８】
また、本実施の形態では、スライド部材８２から突き当て部６０に働く反力Ｆ２の大きさを、先端側の斜面６２の傾斜角６２θによって調節している。すなわち、付勢バネ等で反力Ｆ２の大きさを調節する構成ではないので、装置本体に設けられた係止部７０ａ、７０ｂに、同一の付勢バネ、スライド部材を用いることができる。よって、製造コストを抑えることが可能になる。
【００４９】
また、本実施の形態では、開閉ドア４０に爪部６０を設け、装置本体に係止部７０ａ、７０ｂ、スライド部材８２を設ける構成としたが、本発明に係る画像形成装置の構成はこれに限られるものではない。すなわち、本実施の形態とは逆に、開閉ドア４０に付勢バネ、スライド部材を配置し、装置本体に爪部を設ける構成であってもよい。
【００５０】
以上より、本実施の形態によれば、薄型化された開閉ドアが用いられる場合であっても、簡易かつ安価な構成で「片閉まり」の発生を防止することが可能な画像形成装置を提供
することが可能になる。
【００５１】
［第２の実施の形態］
図４、５を参照して、本発明の第２の実施の形態に係る画像形成装置について説明する。なお、（画像形成装置の概略構成）に関しては上記第１の実施の形態と異なるものではないのでその説明は省略し、ここでは第１の実施の形態と異なる部分のみ説明を行う。
【００５２】
（開閉ドア及び装置本体の係止部の構成）
図４、５を参照して、開閉ドア４０の係止部５０ａ、５０ｂ、突き当て部６０、及び装置本体に設けられた係止部７０ａ、７０ｂ、スライド部材８２の構成について説明する。図４は、開閉ドア４０の係止部５０ａ、５０ｂ、突き当て部６０が、装置本体の係止部７０ａ、７０ｂに係止された状態を示し、図５は、ユーザが開閉ドア４０の端部のみを押圧して、突き当て部６０がスライド部材８２に突き当たっている状態を示すものである。
【００５３】
開閉ドア４０の係止部５０ａ、５０ｂには、第１の実施の形態と同様に爪部５１ａ、５１ｂが形成されており、一方で装置本体の係止部７０ａ、７０ｂには、爪部５１ａ、５１ｂの斜面に倣う斜面が形成されている。なお、本実施の形態では、装置本体の係止部７０ａ、７０ｂは付勢バネ等で付勢される構成ではなく、係止部５０ａ、５０ｂと当接することで、撓むように構成されている。
【００５４】
係止部５０ａと係止部５０ｂの間（略中央部）に形成される突き当て部６０は、先端に突入リブ６８を備えている。また、第１の実施の形態と同様に、開閉ドア４０を閉じる際に突き当て部６０が装置本体側のスライド部材８２に最初に突き当たるように構成されており、突き当て部６０の高さが係止部５０ａ、５０ｂと比較して最も高くなるように構成されている。
【００５５】
突き当て部６０が突き当たるスライド部材８２は、付勢バネ８１に接続されている。そして、付勢バネ８１がスライド部材８２を付勢し、スライド部材８２を突き当て部６０の移動方向と略直交する方向に付勢している。なお、スライド部材８２の先端面は、略平坦に形成されている。
【００５６】
かかる構成によると、開閉ドア４０を閉じると、係止部５０ａ、５０ｂが係止部７０ａ、７０ｂを押し込んで撓ませ、その後、爪部５１ａ、５１ｂが係止部７０ａ、７０ｂに係止される。なお、突き当て部６０は、スライド部材８２に係止されなくとも、開閉ドア４０を閉じた状態にすることは可能である。
【００５７】
以上の構成によれば、開閉ドア４０の係止部５０ａ、５０ｂが装置本体の係止部７０ａ、７０ｂに係止されていれば、開閉ドア４０を確実に閉じた状態にすることができる。なお、この係止状態は、ユーザが開閉ドア４０の把持部４０ｂを操作することで解除される。
【００５８】
（片閉まりを防止する構成）
図５に示すようにユーザが開閉ドア４０の一方の端部をＦ１の力で押圧すると、まず最初に、突き当て部６０の突入リブ６８が待機位置にあるスライド部材８２に突き当たる。
【００５９】
スライド部材８２と突き当て部６０の突入リブ６８が突き当たると、突入リブ６８には、付勢バネ８１の作用によってＦ２の力（開閉ドア４０を押し戻す方向の力）が働く。なお、突入リブ６８が受けるＦ２の力の大きさは、突入リブ６８の斜面の傾斜角によって調節可能である。
【００６０】
そしてＦ２の力が突入リブ６８に働いている状態では、突き当て部６０は、Ｆ２の力に抗してスライド部材８２を押し込んで開閉ドア４０が閉じる方向に進むことができない。つまり、開閉ドア４０の剛性が低いので、突き当て部６０はスライド部材８２に突き当たった状態で停止し、その後はねじれ力Ｔによって、開閉ドア４０が突入リブ６８の先端を支点に変形することになる。
【００６１】
このように本実施の形態では、ユーザが開閉ドア４０の一方の端部を押圧した場合には、開閉ドア４０の間（略中央部）に位置する突き当て部６０がスライド部材８２を押し込んで進むことがない。さらに、開閉ドア４０が図５のように変形し、係止部５０ａのみが係止部７０ａに係止される「片閉まり」の状態になって開閉ドア４０の押圧を中止しても、開閉ドア４０のねじれ力により、開閉ドア４０は元の形状に戻ろうとするので、「片閉まり」が解除される。
【００６２】
つまり、「片閉まり」の状態から開閉ドア４０が元の形状に戻ろうとする際に生じるねじれ力は、係止部７０ａが係止部５０ａを係止している力よりも大きい。よって、ユーザの操作を必要とせず、開閉ドア４０の変形を利用して、「片閉まり」を解除することができる。
【００６３】
以上より、本実施の形態に係る画像形成装置によれば、ユーザが開閉ドア４０の一方の端部を押圧した場合であっても、開閉ドア４０が「片閉まり」の状態となることを防ぐことが可能である。なお、上記ではユーザが開閉ドア４０の係止部５０ａの方の端部を押圧した場合について説明したが、もう一方の端部（係止部５０ｂの方）を押圧する場合であっても、「片閉まり」の状態を防ぐことは可能である。
【００６４】
また、ユーザが開閉ドア４０の略中央部（把持部４０ｂ近傍）を押圧する場合は、開閉ドア４０の突入リブ６８がスライド部材８２から受ける力Ｆ２に抗してスライド部材８２を押しのけることが可能なので、開閉ドア４０を閉じる方向に進ませることができる。
【００６５】
よって、開閉ドア４０の係止部５０ａ、５０ｂが係止部７２ａ、７２ｂを撓ませて、係止部７２ａ、７２ｂに係止された状態になる。従って、ユーザが開閉ドア４０の略中央部（把持部４０ｂ）近傍を押圧する場合は、開閉ドア４０を装置本体に確実に閉じることができる。
【００６６】
また、本実施の形態では、スライド部材８２の先端面は略平坦に形成されているので、図４に示す状態から開閉ドア４０を開く場合は、突き当て部６０とスライド部材８２の摺動抵抗よりも大きな力でユーザは開閉ドア４０を開けばよい。従って、第１の実施の形態と比較すると比較的小さな力で開閉ドア４０を開くことができる。
【００６７】
また、本実施の形態では、開閉ドア４０に突入リブ６８を設け、装置本体にスライド部材８２を設ける構成としたが、本発明に係る画像形成装置の構成はこれに限られるものではない。すなわち、本実施の形態とは逆に、開閉ドア４０にスライド部材８２を配置し、装置本体に突入リブ６８を設ける構成であってもよい。
【００６８】
以上より、本実施の形態によれば、薄型化された開閉ドアが用いられる場合であっても、簡易かつ安価な構成で「片閉まり」の発生を防止することが可能な画像形成装置を提供することが可能になる。
【００６９】
［第３の実施の形態］
図６〜８を参照して、本発明の第３の実施の形態について説明する。なお、（画像形成装置の概略構成）に関しては上記第１の実施の形態と異なるものではないのでその説明は
省略し、ここでは第１の実施の形態と異なる部分のみ説明を行う。
【００７０】
（開閉ドア及び装置本体の係止部の構成）
本実施の形態における開閉ドア４０に形成される係止部５０ａ、５０ｂ、突き当て部６０の形状は、上記で説明した第２の実施の形態と同一である。すなわち、本実施の形態における係止部５０ａ、５０ｂは、爪部５１ａ、５１ｂを有しており、係止部５０ａと係止部５０ｂの間（略中央部）に形成される突き当て部６０は、先端に突入リブ６８を備えている。
【００７１】
また、装置本体に形成され、開閉ドア４０の係止部５０ａ、５０ｂを係止する係止部７０ａ、７０ｂも、上記第２の実施の形態と同一の形状である。すなわち、開閉ドア４０が閉まると、係止部５０ａ、５０ｂが係止部７０ａ、７０ｂを撓ませ、その後、爪部５１ａ、５１ｂが係止部７０ａ、７０ｂによって係止される構成である。なお、係止部７０ａ、７０ｂは、第１の実施の形態のように、付勢バネを有する構成であってもよい。
【００７２】
本実施の形態では、上記構成に加え、係止部７０ａ、７０ｂと開閉ドア４０との間に、付勢バネ８１によって突き当て部６０の移動方向と略直交する方向に付勢されるスライド部材８８が設けられていることを特徴とする。さらに、スライド部材８８には、係止部５０ａ、５０ｂ、突き当て部６０のそれぞれに対応する３つの開口部１５０ａ、１５０ｂ、１６０が形成されている。
【００７３】
（片閉まりを防止する構成）
図８に示すように、ユーザが開閉ドア４０の一方の端部をＦ１の力で押圧すると、まず最初に、開閉ドア４０の突き当て部６０の突入リブ６８が待機位置にあるスライド部材８８に突き当たる。なお、図７（ｂ）に示すように、スライド部材８８が待機位置にある状態では、開口部１５０ａ、１５０ｂ、１６０は、係止部５０ａ、５０ｂ、突き当て部６０がそれぞれの開口部を通過可能な位置に配置されていない。
【００７４】
スライド部材８８と突き当て部６０の突入リブ６８が突き当たると、突入リブ６８には、付勢バネ８１の作用によってＦ２の力（開閉ドア４０を押し戻す方向の力）が働く。なお、突入リブ６８が受けるＦ２の力の大きさは、突入リブ６８の斜面の傾斜角によって調節可能である。
【００７５】
そしてＦ２の力が突入リブ６８に働いている状態では、突き当て部６０は、Ｆ２の力に抗してスライド部材８８を押し込んで開閉ドア４０が閉じる方向に進むことができない。つまり、開閉ドア４０の剛性が低いので、突き当て部６０はスライド部材８８に突き当たった状態で停止し、その後はねじれ力Ｔによって、開閉ドア４０が突入リブ６８の先端を支点に変形するからである。
【００７６】
開閉ドア４０にねじれ力Ｔが働いて変形すると、係止部５０ａの先端はスライド部材８８に突き当たった状態で停止する。この状態では係止部６０がスライド部材８８を押し込んでいないので、スライド部材８８に形成された開口部１５０ａ、１５０ｂを係止部５０ａ、５０ｂは通過することができない。
【００７７】
従って、本実施の形態では、ユーザが開閉ドア４０の一方の端部を押圧しても、その端部に設けられている係止部５０ａ、５０ｂがスライド部材８８の開口部１５０ａ、１５０ｂを通過することが出来ないので、「片閉まり」が発生しない。
【００７８】
一方、ユーザが開閉ドア４０の略中央部（把持部４０ｂ近傍）を押圧する場合は、突き当て部６０の突入リブ６８がスライド部材８８から受ける力Ｆ２に抗して、スライド部材
８８を押しのけて上方にスライドさせることが可能である。そして、スライド部材８８が移動することで、開口部１５０ａが係止部５０ａに、開口部１６０が突き当て部６０に、開口部１５０ｂが係止部５０ｂを臨む位置に配置され、図７（ａ）の状態になる。すなわち図７（ａ）に示す状態は、係止部５０ａ、５０ｂが装置本体に対して係止可能な状態といえる。
【００７９】
よって、開口部１５０ａ、１５０ｂ、１６０を係止部５０ａ、５０ｂ、突き当り部６０が通過可能になり、開閉ドア４０がさらに進み、開閉ドア４０の係止部５０ａ、５０ｂが係止部７０ａ、７０ｂを撓ませて、係止部７０ａ、７０ｂに係止された状態になる。従って、ユーザが開閉ドア４０の略中央部（把持部４０ｂ近傍）を押圧する場合は、開閉ドア４０を装置本体に確実に閉じることができる。
【００８０】
なお、装置本体には開閉ドア４０の突き当て部６０を係止する係止手段は設けられていないので、開閉ドア４０を開く際は、突き当て部６０に対して付加がかからず、ユーザは開閉ドア４０を容易に開くことができる。
【００８１】
また、本実施の形態では、開閉ドア４０に突入リブ６８を設け、装置本体にスライド部材８８を設ける構成としたが、本発明に係る画像形成装置の構成はこれに限られるものではない。すなわち、本実施の形態とは逆に、開閉ドア４０にスライド部材８８を配置し、装置本体に突入リブ６８を設ける構成であってもよい。
【００８２】
以上より、本実施の形態によれば、薄型化された開閉ドアが用いられる場合であっても、簡易かつ安価な構成で「片閉まり」の発生を防止することが可能な画像形成装置を提供することが可能になる。
【符号の説明】
【００８３】
１０  画像形成装置
４０  開閉ドア
５０ａ係止部
５０ｂ係止部
５２ａ先端斜面
５２ｂ先端斜面
６０  突き当て部
８０  スライド部材
１５０ａ開口部
１５０ｂ開口部
１６０  開口部
【図１】
0005484552.tif 000002
【図２】
0005484552.tif 000003
【図３】
0005484552.tif 000004
【図４】
0005484552.tif 000005
【図５】
0005484552.tif 000006
【図６】
0005484552.tif 000007
【図７】
0005484552.tif 000008
【図８】
0005484552.tif 000009
【図９】
0005484552.tif 000010
【図１０】
0005484552.tif 000011
【図１１】
0005484552.tif 000012